(57)【要約】【課題】携帯端末を用いた点検対象物の点検と点検結果の記録を効率よく行えるようにした点検情報管理システムを得る。【解決手段】土木及び建築構造物の点検対象物２の点検を実施する点検作業員が所持する携帯端末１は、点検対象物２を撮影するカメラ装置１１と、このカメラ装置１１により撮影された画像を処理して、表面劣化の度合いを示すスコアを算出する画像解析装置１３と、撮影画像及びスコアを表示する出力装置１４と、撮影画像及びスコアを点検対象物２の情報に紐付けしてサーバ３に送信するデータ通信装置１２とを有し、サーバ３では、送信された撮影画像及びスコアを点検対象物２の情報に紐付けして保存し、システム利用者の参照に供するようにした。【選択図】図１
2016004285.tif 000002
【特許請求の範囲】
【請求項１】
点検対象物を点検する作業員が所持する携帯端末、
及びこの携帯端末と通信可能に構成され、上記点検対象物に関する情報及び点検結果を格納するサーバを備え、
上記携帯端末は、
上記点検対象物を撮影する撮影手段と、
この撮影手段によって撮影された画像を解析し、表面劣化の度合いを示すスコアを算出する画像解析手段と、
この画像解析手段により算出されたスコアを含む点検結果を上記サーバに送信する通信手段と、
上記算出されたスコアを表示する表示手段とを有することを特徴とする点検情報管理システム。
【請求項２】
上記携帯端末は、上記サーバに格納された上記点検対象物に関する情報をダウンロードしたものを格納する点検対象情報格納手段を有し、
上記点検対象情報格納手段に格納された上記点検対象物に関する情報と上記点検結果とを紐付けて上記サーバに送信することを特徴とする請求項１記載の点検情報管理システム。
【請求項３】
上記携帯端末は、上記サーバに格納された過去の上記点検対象物の点検結果をダウンロードしたものを格納する過去情報格納手段を有し、
上記画像解析手段により算出されたスコアと、上記過去情報格納手段に格納された同じ点検対象物のスコアとを比較できるように上記表示手段に表示することを特徴とする請求項１または請求項２記載の点検情報管理システム。
【請求項４】
上記サーバに格納された過去の上記点検対象物の点検結果を基にして、当該点検対象物の将来の劣化予測を行い、当該点検対象物の耐用年数を予測する劣化予測算出装置を備えたことを特徴とする請求項１から請求項３のいずれか一項記載の点検情報管理システム。
【請求項５】
上記サーバに格納された過去の上記点検対象物の点検結果を基にして、上記画像解析手段で上記スコアの算出に用いられるスコア算出ルールを見直す画像解析処理改善装置を備えたことを特徴とする請求項１から請求項４のいずれか一項記載の点検情報管理システム。
【発明の詳細な説明】
【技術分野】
【０００１】
この発明は、土木・建築構造物の点検を支援する点検情報管理システムに関するものである。
【背景技術】
【０００２】
従来では、土木・建築構造物の点検は、人が目視で実施していた。
点検作業員が対象物の目視点検を実施する場合、見た目に対する個人的主観や、マニュアル等に規定された基準（例えば、ひび割れの場合、長さや幅等）に基づいた評価を行っていた。
しかし、個人的主観で評価を実施した場合、点検作業員により評価にばらつきが出るため、点検結果の精度が不十分となってしまうケースがある。このような事態が発生すると、経年劣化を見るために、同じ箇所を一定期間経過後に点検実施した場合、何も対策を実施していないにも関わらず、点検結果が良くなってしまうような通常ではあり得ないケースが発生してしまう。
また、マニュアル等に規定された基準を適用する場合、十分な精度を出すためには詳細な項目や基準を策定する必要があること、また、詳細な基準に基づいて点検を実施しようとすると、基準の緻密さに比例して点検作業時間が掛かってしまうという問題があった。
【先行技術文献】
【特許文献】
【０００３】
【特許文献１】特開２００２−１４０１３号公報（第３〜７頁、第１図）
【発明の概要】
【発明が解決しようとする課題】
【０００４】
携帯端末の発達に伴い、上述の問題に対処するため、携帯端末を用いた点検が行われるようになってきた。
特許文献１には、携帯端末で撮影した画像を通信機能を用いてサーバに転送し、その先にいる要員にて評価した後、現場作業員へ対策を指示するものが記載されている。
しかし、この特許文献１のものでは、現場作業員とは別に評価を行う要員が必要になるため、そのような要員が準備できない状況では適切な作業を実施することが困難であるという問題があった。
【０００５】
この発明は、上述のような課題を解決するためになされたものであり、携帯端末を用いた点検対象物の点検と点検結果の記録を効率よく行えるようにした点検情報管理システムを得ることを目的にする。
【課題を解決するための手段】
【０００６】
この発明に係わる点検情報管理システムにおいては、点検対象物を点検する作業員が所持する携帯端末、及びこの携帯端末と通信可能に構成され、点検対象物に関する情報及び点検結果を格納するサーバを備え、携帯端末は、点検対象物を撮影する撮影手段と、この撮影手段によって撮影された画像を解析し、表面劣化の度合いを示すスコアを算出する画像解析手段と、この画像解析手段により算出されたスコアを含む点検結果をサーバに送信する通信手段と、算出されたスコアを表示する表示手段とを有するものである。
【発明の効果】
【０００７】
この発明によれば、点検対象物を点検する作業員が所持する携帯端末、及びこの携帯端末と通信可能に構成され、点検対象物に関する情報及び点検結果を格納するサーバを備え、携帯端末は、点検対象物を撮影する撮影手段と、この撮影手段によって撮影された画像を解析し、表面劣化の度合いを示すスコアを算出する画像解析手段と、この画像解析手段により算出されたスコアを含む点検結果をサーバに送信する通信手段と、算出されたスコアを表示する表示手段とを有するので、点検作業と点検結果の記録を効率的に行うことができる。
【図面の簡単な説明】
【０００８】
【図１】この発明の実施の形態１による点検情報管理システムを示す構成図である。
【図２】この発明の実施の形態２による点検情報管理システムを示す構成図である。
【図３】この発明の実施の形態３による点検情報管理システムを示す構成図である。
【図４】この発明の実施の形態４による点検情報管理システムを示す構成図である。
【図５】この発明の実施の形態５による点検情報管理システムを示す構成図である。
【発明を実施するための形態】
【０００９】
実施の形態１．
以下、この発明の実施の形態１を図１に基づいて説明する。
図１は、この発明の実施の形態１による点検情報管理システムを示す構成図である。
図１において、携帯端末１は、土木及び建築構造物の点検対象物２を点検する点検作業員が現場で利用する。サーバ３は、点検対象物２に関する情報（施設・設備情報を含む）、点検結果（後述するスコアと撮影画像）などの各種情報を蓄積して、必要に応じて携帯端末１とデータ通信を行い、情報の提供及び保管管理を行う。
携帯端末１は、次のように構成されている。
カメラ装置１１（撮影手段）は、点検作業員が点検対象物２を撮影するのに用いられる。データ通信装置１２（通信手段）は、外部にあるサーバ３とデータを送受信する。画像解析装置１３（画像解析手段）は、カメラ装置１１で撮影された画像を処理して、そこに写っている点検対象物２の状態により、壁のひび割れや剥落などの表面劣化の度合いを数値化（スコアを算出する）する。出力装置１４（表示手段）は、携帯端末１の内部の各種情報を表示する。
【００１０】
次に、動作について説明する。
点検作業員は、点検対象物２がある現場で、携帯端末１に備え付けられているカメラ装置１１を用い、点検対象物２の点検箇所を撮影し、その画像を携帯端末１に取りこみ、出力装置１４に表示する。
取り込まれた画像は、画像解析装置１３に送られて解析処理が実施されるとともに、その解析結果から算出されたスコアを出力装置１４に表示する。このスコアは、例えば、図１に示すように、ひび割れ数、ひび割れ長、ひび割れ幅を基にして算出する。
点検作業員は、出力装置１４に表示された内容を確認した後、その結果（スコアと撮影画像）を点検対象物２の情報（対象物ＩＤなど）と紐付けて、データ通信装置１２を用いてサーバ３に送信する。
サーバ３では、携帯端末１から受信した情報を格納する。図１では、点検対象物２の対象物ＩＤごとに、点検結果として算出したスコアを記憶している。また、撮影画像も記憶している。
以降、システム利用者が必要に応じてスコアを参照できるようになる。
【００１１】
実施の形態１によれば、画像解析装置で撮影画像を解析し、表面劣化の度合いを示すスコアを算出し、サーバに格納することにより、点検作業と点検結果の記録を効率的に行うことができる。
また、サーバに点検結果を格納することにより、システム利用者が必要に応じて点検実績を閲覧することができるようになる。
【００１２】
実施の形態２．
図２は、この発明の実施の形態２による点検情報管理システムを示す構成図である。
図２において、１〜３、１１〜１４は図１におけるものと同一のものである。図２では、携帯端末１に、サーバ３から点検対象物２に関する情報をダウンロードし、格納する点検対象情報格納装置１５（点検対象情報格納手段）を設けている。
【００１３】
実施の形態１では、点検作業員が点検を実施する点検対象物２に関する情報を、点検作業員自身で検索・取得し、点検作業員が点検対象物２に関する情報を携帯端末１上で正しく設定した上で、点検を実施する必要があった。
そのため、点検対象物２を設定する手間が掛かることに加えて、誤って別の点検対象物に点検結果を紐付けてしまうと、適切な点検結果の管理が実施できなくなってしまうという問題があった。
【００１４】
そこで、実施の形態２は、図２のように、点検作業員は、点検実施前に、予めサーバ３に格納されている点検対象物に関する情報を携帯端末１の点検対象情報格納装置１５へダウンロードしておき、点検実施時には点検対象情報格納装置１５内にある点検対象物の一覧の中から、実際に点検を実施した点検対象物の情報を呼び出して、そこに点検結果の情報を紐付けるようにする。
【００１５】
実施の形態２によれば、サーバに保存された点検対象物に関する情報をダウンロードし、この点検対象物の情報に紐付けて点検結果を格納することで、対象物の時系列の劣化傾向を見ることができるようになる。
また、点検作業員は、点検対象物の設定を行う手間が軽減されるとともに、誤って別の点検対象物に点検結果を紐付けてしまうことを予防することができる。
【００１６】
実施の形態３．
図３は、この発明の実施の形態３による点検情報管理システムを示す構成図である。
図３において、１〜３、１１〜１５は図２におけるものと同一のものである。図３では、携帯端末１に、サーバ３に格納されている点検対象物２の過去の点検結果（スコアと撮影画像）をダウンロードし、格納する過去情報格納装置１６（過去情報格納手段）を設けた。
【００１７】
実施の形態１及び実施の形態２では、点検作業員は、あくまで今回実施する点検のための情報のみを取得して点検を実施することとしており、過去の情報については一切関知せずに点検を実施していた。
そこで、実施の形態３は、図３のように、サーバ３に格納されている点検対象物２の過去の点検結果（スコアと撮影画像）を携帯端末１の過去情報格納装置１６の中に予めダウンロードしておき、点検作業員が点検を実施した直後に、今回撮影した画像及び算出されたスコアと、過去に撮影された画像及びスコアを出力装置１４上で並べて表示することで、現場ですぐに経年劣化状況を比較することができるようにする。
【００１８】
実施の形態３によれば、過去の点検結果を参照することで、点検作業員が劣化状況を素早く確認することができるようになるとともに、万一、今回実施した点検のやり方が、過去に実施した点検のやり方と大きく違っていた（例えば、対象の撮影箇所が大きくずれていた等）場合、適切な比較ができないといったケースが発生することを予防することができるようになる。
【００１９】
実施の形態４．
図４は、この発明の実施の形態４による点検情報管理システムを示す構成図である。
図４において、１〜３、１１〜１６は図３におけるものと同一のものである。図４では、点検対象物２について、将来どれくらいの速度で劣化が進行し、実用に耐えられる期間がどれくらいかを算出する劣化予測算出装置４を設けている。
【００２０】
実施の形態１〜実施の形態３では、点検を実施し、その結果を蓄積・比較することにより、劣化傾向を分かりやすくすることが主な目的だった。しかし、この方法では、今後、点検対象物２がどれくらいの速度で劣化が進行するかについては分からなかった。
そこで、実施の形態４は、図４のように、サーバ３に劣化予測算出装置４を付与し、点検対象物２の過去の点検結果から、将来どれくらいの速度で劣化が進行し、実用に耐えられる期間がどれくらいかを算出するようにした。
【００２１】
実施の形態４によれば、点検対象物ごとに蓄積された点検結果から、将来の劣化予測が可能となり、この情報を用いて、点検対象物が今後どれくらいの期間使用することができるかの予測値を算出することで、今後の点検対象物の更新計画を策定するための情報として活用することができるようになる。
【００２２】
実施の形態５．
図５は、この発明の実施の形態５による点検情報管理システムを示す構成図である。
図５において、１〜４、１１〜１６は図４におけるものと同一のものである。図５では、サーバ３に蓄積された点検結果の撮影画像とその後の劣化傾向から、スコア算出ルールを見直す画像解析処理改善装置５を設けている。
【００２３】
実施の形態１〜実施の形態４では、点検実施時に点検対象物２を撮影した後、画像解析装置１３により画像を解析して算出されるスコアは、画像解析装置１３内に設定されたルールにより算出される。
しかし、より実態に即した分析を実施するためには、数多くの点検結果から傾向を分析して、その結果を画像解析処理にフィードバックすることで、分析精度の向上を図ることが必要となる。
【００２４】
そこで、実施の形態５は、図５のように、サーバ３に蓄積された点検結果の撮影画像とその後の劣化傾向から、スコア算出ルールを見直す画像解析処理改善装置５を導入する。
画像解析処理改善装置５では、過去の点検で撮影された画像と、点検対象物に関する情報の中にある実際の使用期間の情報を入力として、そこから点検時の状態と実際の使用期間を計算し、その結果を、携帯端末１の画像解析装置１３のスコア算出ルールに再設定する。
【００２５】
実施の形態５によれば、画像解析装置のスコア算出ルールを見直すことで、今後、実施される点検の算出スコア精度を向上させ、結果的に点検の精度を上げることができるようになる。
【００２６】
なお、本発明は、その発明の範囲内において、各実施の形態を自由に組み合わせたり、各実施の形態を適宜、変形、省略することが可能である。
【符号の説明】
【００２７】
１  携帯端末、２  点検対象物、３  サーバ、４  劣化予測算出装置、
５  画像解析処理改善装置、１１  カメラ装置、１２  データ通信装置、
１３  画像解析装置、１４  出力装置、１５  点検対象情報格納装置、
１６  過去情報格納装置。
【図１】
2016004285.tif 000003
【図２】
2016004285.tif 000004
【図３】
2016004285.tif 000005
【図４】
2016004285.tif 000006
【図５】
2016004285.tif 000007